(57)【要約】      （修正有）【課題】検出スイッチの故障等を招くことなく、プラテンローラが所定の位置に設置されているか否かを検出することのできるプリンタ装置を提供する。【解決手段】プリントヘッドとプラテンローラとの間に挟まれた記録紙に印字を行なうプリンタ装置において、プラテンローラの位置を検出する第１の検出スイッチ１３２及び第２の検出スイッチ１４２は、プラテンローラが所定の位置に設置されている場合にはオフとなり、所定の位置に設置されていない場合にはオンとなるスイッチであって、第１の検出スイッチ及び第２の検出スイッチの一方の端子は互いに接続され、更に接地側抵抗を介して接地され、第１の検出スイッチ及び第２の検出スイッチの他方の端子は電源電位が印加され、第２の検出スイッチの他方の端子と第１の検出スイッチの一方の端子及び第２の検出スイッチの一方の端子と接地側抵抗との間における電位を検出する電位検出部を有する。【選択図】図５
2015123653.tif 000002
【特許請求の範囲】
【請求項１】
プリントヘッドと、
プラテンローラと、
前記プラテンローラの位置を検出する第１の検出スイッチ及び第２の検出スイッチと、
を有し、前記プリントヘッドと所定の位置に設置された前記プラテンローラとの間に挟まれた記録紙に印字を行なうプリンタ装置において、
前記第１の検出スイッチ及び第２の検出スイッチは、前記プラテンローラが前記所定の位置に設置されている場合にはオフとなり、前記プラテンローラが前記所定の位置に設置されていない場合にはオンとなるスイッチであって、
前記第１の検出スイッチの一方の端子と前記第２の検出スイッチの一方の端子とは互いに接続され、更に接地側抵抗を介して接地されており、
前記第１の検出スイッチの他方の端子には電源電位が印加されており、
前記第２の検出スイッチの他方の端子には電源電位が印加されており、
前記第１の検出スイッチの一方の端子及び前記第２の検出スイッチの一方の端子と前記接地側抵抗との間における電位を検出する電位検出部を有することを特徴とするプリンタ装置。
【請求項２】
前記接地側抵抗は、第３の抵抗と第４の抵抗とを並列に接続することにより形成されていることを特徴とする請求項１に記載のプリンタ装置。
【請求項３】
前記第１の検出スイッチの他方の端子には第１の抵抗が接続されており、前記第１の抵抗を介して電源電位が印加されており、
前記第２の検出スイッチの他方の端子には第２の抵抗が接続されており、前記第２の抵抗を介して電源電位が印加されており、
前記第１の抵抗の抵抗値と、前記第２の抵抗の抵抗値とは、異なる値であることを特徴とする請求項１または２に記載のプリンタ装置。
【請求項４】
プリントヘッドと、
プラテンローラと、
前記プラテンローラの位置を検出する第１の検出スイッチ及び第２の検出スイッチと、
を有し、前記プリントヘッドと所定の位置に設置された前記プラテンローラとの間に挟まれた記録紙に印字を行なうプリンタ装置において、
前記第１の検出スイッチ及び第２の検出スイッチは、前記プラテンローラが前記所定の位置に設置されている場合にはオフとなり、前記プラテンローラが前記所定の位置に設置されていない場合にはオンとなる位置検出スイッチであって、
前記第１の検出スイッチは、前記プラテンローラの一方の側の位置を検出し、前記第２の検出スイッチは、前記プラテンローラの他方の側の位置を検出するものであって、
前記第１の検出スイッチの一方の端子と前記第２の検出スイッチの一方の端子とは接続されており、更に、接地されており、
前記第１の検出スイッチの他方の端子と前記第２の検出スイッチの他方の端子とは互いに接続され、更に、抵抗を介して電源電位が印加されており、
前記第１の検出スイッチの他方の端子及び前記第２の検出スイッチの他方の端子と前記抵抗との間における電位を検出する電位検出部を有することを特徴とするプリンタ装置。
【請求項５】
プリントヘッドと、プラテンローラと、前記プラテンローラの位置を検出する第１の検出スイッチ及び第２の検出スイッチと、を有し、前記プリントヘッドと所定の位置に設置された前記プラテンローラとの間に挟まれた記録紙に印字を行なうプリンタ装置の制御方法において、
前記第１の検出スイッチ及び第２の検出スイッチは、前記プラテンローラが前記所定の位置に設置されている場合にはオフとなり、前記プラテンローラが前記所定の位置に設置されていない場合にはオンとなる位置検出スイッチであって、
前記第１の検出スイッチは、前記プラテンローラの一方の側の位置を検出し、前記第２の検出スイッチは、前記プラテンローラの他方の側の位置を検出するものであって、
前記第１の検出スイッチの一方の端子と前記第２の検出スイッチの一方の端子とは接続されており、更に、接地側抵抗が接続されており、前記接地側抵抗を介して接地されており、
前記第１の検出スイッチの他方の端子には第１の抵抗が接続されており、前記第１の抵抗を介して電源電位が印加されており、
前記第２の検出スイッチの他方の端子には第２の抵抗が接続されており、前記第２の抵抗を介して電源電位が印加されており、
前記第１の検出スイッチの一方の端子及び前記第２の検出スイッチの一方の端子と前記接地側抵抗との間における電位を検出する電位検出部を有し、
前記電位検出部において検出された電位が第１のしきい値よりも低い場合には、前記プラテンローラは、前記所定の位置に設置されているものと判断され、
前記電位検出部において検出された電位が第２のしきい値よりも高い場合には、前記プラテンローラは、前記所定の位置に設置されていないものと判断され、
前記第１のしきい値よりも前記第２のしきい値が高いことを特徴とするプリンタ装置の制御方法。
【請求項６】
プリントヘッドと、プラテンローラと、それぞれ一方の端子が互いに接続されるとともに接地側抵抗を介して接地され他方の端子に電位が印加される、前記プラテンローラの異なる側の位置を検出する第１の検出スイッチ及び第２の検出スイッチと、を有し、前記第１の検出スイッチ及び第２の検出スイッチは、前記プラテンローラが設置されている場合にはオフとなり、設置されていない場合にはオンとなるスイッチであり、前記プリントヘッドと所定の位置に設置された前記プラテンローラとの間に挟まれた記録紙に印字を行なうプリンタ装置の制御方法において、
前記第１の検出スイッチの一方の端子及び前記第２の検出スイッチの一方の端子と前記接地側抵抗との間における電位とを検出し、
前記検出された電位が第１のしきい値よりも低い場合には、前記プラテンローラが前記所定の位置に設置されているものと判断し、
前記検出された電位が、前記第１のしきい値より高い第２のしきい値よりも高い場合には、前記プラテンローラが前記所定の位置に設置されていないものと判断することを特徴とするプリンタ装置の制御方法。
【請求項７】
前記電位検出部において検出された電位が、前記第１のしきい値以上であって、前記第２のしきい値以下である場合には、前記第１の検出スイッチまたは前記第２の検出スイッチが故障しているものと判断することを特徴とする請求項５に記載のプリンタ装置の制御方法。
【請求項８】
前記第１の抵抗と前記第２の抵抗とは抵抗値が異なるものであって、
前記電位検出部において検出された電位が、前記第１のしきい値以上であって、前記第１のしきい値と前記第２のしきい値との間の値に設定された第３のしきい値未満である場合には、前記第１の検出スイッチまたは前記第２の検出スイッチのうちの一方が故障しているものと判断し、
前記電位検出部において検出された電位が、前記第２のしきい値以下であって、前記第３のしきい値以上である場合には、前記第１の検出スイッチまたは前記第２の検出スイッチのうちの他方が故障しているものと判断することを特徴とする請求項５に記載のプリンタ装置の制御方法。
【発明の詳細な説明】
【技術分野】
【０００１】
本発明は、プリンタ装置及びプリンタ装置の制御方法に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。レシート等を発行するプリンタは、記録紙となる感熱紙を搬送しながらサーマルヘッド等により記録紙に印字等を行ない、所定の長さまで記録紙を搬送した後、カッターにより所定の長さで記録紙を切断するものである。
【０００３】
このようなプリンタ装置においては、例えば、プリンタ本体部と、プリンタ本体部に回転可能な状態で支持された蓋部が設けられており、この蓋部を開くことによりプリンタ本体部に、ロール状に巻かれた記録紙を設置することができる。この場合、例えば、サーマルヘッド等は、プリンタ本体部に設置されており、プラテンローラは蓋部に設置されており、蓋部を閉じることにより、記録紙はサーマルヘッド等とプラテンローラに間に挟まれる。このようにサーマルヘッド等とプラテンローラに間に記録紙が挟まれた状態で、記録紙にサーマルヘッド等による印字がなされる。このようなサーマルヘッド等が用いられているプリンタ装置としては、小型で容易に持ち運びのできるモバイルプリンタがある。
【先行技術文献】
【特許文献】
【０００４】
【特許文献１】特開平１０−２５０１３０号公報
【特許文献２】特開２００４−２１０４４４号公報
【特許文献３】特開２００８−３０２５３号公報
【発明の概要】
【発明が解決しようとする課題】
【０００５】
ところで、一般的なサーマルヘッド等が用いられているプリンタ装置においては、蓋部が閉じられることにより、印刷可能な状態になるが、このような印刷可能な状態にあるか否かの判断は、蓋部が閉じられた状態で、プラテンローラが所定の位置に設置されているか否かの判断によりなされる。
【０００６】
具体的には、図１に示されるサーマルヘッド１０を有するプリンタ装置において、プラテンローラ２０が設置される部分の両端には、プラテンガイド３０、４０が設けられており、プラテンローラ２０の両端部分が、プラテンガイド３０、４０において回転可能な状態で固定されることにより設置される。尚、このプリンタ装置には、プラテンローラ２０を回転させることにより不図示の記録紙を搬送するためのモータ５１、及びモータ５１の回転をプラテンローラ２０に伝達するためのギアボックス５２等が設けられている。
【０００７】
また、プラテンガイド３０には、プラテンローラ２０を保持するために、回動可能な状態で接続されているプラテンロックレバー３１が設けられており、更に、プラテンローラ２０が所定の位置に設置されているか否かをプラテンロックレバー３１の位置により検出するための第１の検出スイッチ３２が設けられている。
【０００８】
同様に、プラテンガイド４０には、プラテンローラ２０を保持するために、回動可能な状態で接続されているプラテンロックレバー４１が設けられており、更に、プラテンローラ２０が所定の位置に設置されているか否かをプラテンロックレバー４１の位置により検出するための第２の検出スイッチ４２が設けられている。
【０００９】
本実施の形態においては、第１の検出スイッチ３２及び第２の検出スイッチ４２は、例えば、位置を検出するためのメカニカルスイッチであって、押されるとオンとなり、押される力がなくなるとオフになる位置検出スイッチが用いられている。即ち、ノーマルオープンタイプのディテクトスイッチが用いられている。具体的には、不図示の蓋部が閉じられることにより、プラテンロックレバー３１、４１により、プラテンローラ２０が所定の位置に保持される。この際、プラテンロックレバー３１、４１が動き、プラテンロックレバー３１、４１により、第１の検出スイッチ３２及び第２の検出スイッチ４２が押されてオンになる。また、不図示の蓋部を開くことにより、プラテンローラ２０がプラテンガイド３０、４０より外れると、プラテンロックレバー３１、４１は元の位置に戻り、第１の検出スイッチ３２及び第２の検出スイッチ４２を押している力がなくなるため、解放されオフになる。
【００１０】
このような第１の検出スイッチ３２及び第２の検出スイッチ４２を用いて、プラテンローラ２０が設置されているか否かを検出する場合には、図２に示すように、第１の検出スイッチ３２と第２の検出スイッチ４２とが直列に接続されている回路が用いられる。具体的には、第２の検出スイッチ４２の一方の端子は接地されており、第２の検出スイッチ４２の他方の端子が第１の検出スイッチ３２の一方の端子と接続されており、第１の検出スイッチ３２の他方の端子は抵抗６０と接続されており、抵抗６０を介して、電源電位Ｖｃｃが印加されている。プラテンローラ２０の検出は、第１の検出スイッチ３２の他方の端子と抵抗６０との間の電位を電位検出部７１において検出することにより行なう。
【００１１】
不図示の蓋部を閉じることにより、プラテンローラ２０が所定の位置に設置された場合には、第１の検出スイッチ３２と第２の検出スイッチ４２は、ともにオンになるため、図３に示されるように、検出される電位はＬ（Low）である０Ｖとなる。また、不図示の蓋部を開くことにより、プラテンローラ２０が所定の位置より外れた場合には、第１の検出スイッチ３２と第２の検出スイッチ４２は、ともにオフになるため、図３に示されるように、検出される電位はＨ（High）であるＶｃｃとなる。
【００１２】
尚、第１の検出スイッチ３２及び第２の検出スイッチ４２のうちの一方がオンで、他方がオフの場合には、検出される電位はＨとなる。この場合には、蓋部が閉じているにもかかわらず、例えば、プラテンローラ２０の一方の端部は所定の位置に設置されているが、他方の端部は所定の位置に設置されていない場合や、第１の検出スイッチ３２または第２の検出スイッチ４２のうちのいずれかが断線故障している場合が考えられる。図２に示す回路においては、これらの場合においても、プラテンローラ２０が所定の位置に設置されていないものとして検出してしまう。従って、図２に示す回路においては、プラテンローラ２０が所定の位置に設置されていないか、第１の検出スイッチ３２または第２の検出スイッチ４２のうちのいずれかが断線故障しているか、を区別することはできない。
【００１３】
また、図２に示す回路により検出する方法では、プラテンローラ２０が所定の位置に設置されており、プリンタ装置が使用されている状態においては、常に、第１の検出スイッチ３２と第２の検出スイッチ４２に電流が流れ続ける。このため、電流が流れ続けることによる経年劣化により、第１の検出スイッチ３２または第２の検出スイッチ４２が故障する場合がある。また、プリンタ装置を使用している場合においては、常に、第１の検出スイッチ３２及び第２の検出スイッチ４２に電流が流れ続けるため、電力消費が多くなり、プリンタ装置を電池駆動している場合には、プリンタ装置を使用することのできる時間が短くなる等の問題を有していた。
【００１４】
よって、検出スイッチにおける経年劣化による故障等を招くことなく、プラテンローラが所定の位置に設置されているか否かを検出することのできるプリンタ装置が求められている。
【課題を解決するための手段】
【００１５】
本実施の形態の一観点によれば、プリントヘッドと、プラテンローラと、前記プラテンローラの位置を検出する第１の検出スイッチ及び第２の検出スイッチと、を有し、前記プリントヘッドと所定の位置に設置された前記プラテンローラとの間に挟まれた記録紙に印字を行なうプリンタ装置において、前記第１の検出スイッチ及び第２の検出スイッチは、前記プラテンローラが前記所定の位置に設置されている場合にはオフとなり、前記プラテンローラが前記所定の位置に設置されていない場合にはオンとなるスイッチであって、前記第１の検出スイッチの一方の端子と前記第２の検出スイッチの一方の端子とは互いに接続され、更に接地側抵抗を介して接地されており、前記第１の検出スイッチの他方の端子には電源電位が印加されており、前記第２の検出スイッチの他方の端子には電源電位が印加されており、前記第１の検出スイッチの一方の端子及び前記第２の検出スイッチの一方の端子と前記接地側抵抗との間における電位を検出する電位検出部を有することを特徴とする。
【発明の効果】
【００１６】
本発明によれば、検出スイッチにおける経年劣化による故障等を招くことなく、プラテンローラが所定の位置に設置されているか否かを検出することができる。
【図面の簡単な説明】
【００１７】
【図１】プリンタ装置の構造図
【図２】プリンタ装置の制御方法の説明図（１）
【図３】プリンタ装置の制御方法の説明図（２）
【図４】第１の実施の形態におけるプリンタ装置の構造図
【図５】第１の実施の形態におけるプリンタ装置の制御方法の説明図（１）
【図６】第１の実施の形態におけるプリンタ装置の制御方法の説明図（２）
【図７】第２の実施の形態におけるプリンタ装置の制御方法の説明図（１）
【図８】第２の実施の形態におけるプリンタ装置の制御方法の説明図（２）
【図９】実施例におけるプリンタ装置の抵抗値の説明図
【図１０】実施例におけるプリンタ装置の検出される電位の説明図
【発明を実施するための形態】
【００１８】
本発明を実施するための形態について、以下に説明する。尚、同じ部材等については、同一の符号を付して説明を省略する。
【００１９】
〔第１の実施の形態〕
第１の実施の形態におけるプリンタ装置について、図４から図６に基づき説明する。本実施の形態におけるプリンタ装置は、図４に示されるように、プリントヘッドとなるサーマルヘッド１０、プラテンローラ２０、モータ５１及びギアボックス５２等を有している。尚、ギアボックス５２は、モータ５１の回転をプラテンローラ２０に伝達するためのものであり、モータ５１を回転させることにより、ギアボックス５２を介し、プラテンローラ２０を回転させて不図示の記録紙を搬送する。
【００２０】
本実施の形態においては、サーマルヘッド１０、プラテンローラ２０のうちの一方はプリンタ本体部に設置されており、他方は蓋部に設置されており、蓋部を閉じることにより、プラテンローラ２０は所定の位置に設置される。具体的には、プラテンローラ２０が設置される部分の両端には、プラテンガイド３０、４０が設けられており、プラテンローラ２０の両端部分が、プラテンガイド３０、４０において回転可能な状態で固定されることにより設置される。尚、本実施の形態におけるプリンタ装置においては、サーマルヘッド１０とプラテンローラ２０との間に挟まれた不図示の感熱紙からなる記録紙に、サーマルヘッド１０により印字を行なうものである。
【００２１】
また、プラテンガイド３０には、プラテンローラ２０を保持するために、回動可能な状態で接続されているプラテンロックレバー３１が設けられている。また、プラテンロックレバー３１の近傍には、プラテンローラ２０が所定の位置に設置されているか否かをプラテンロックレバー３１の位置により検出するための第１の検出スイッチ１３２が設けられている。
【００２２】
同様に、プラテンガイド４０には、プラテンローラ２０を保持するため、回動可能な状態で接続されているプラテンロックレバー４１が設けられている。また、プラテンロックレバー４１の近傍には、プラテンローラ２０が所定の位置に設置されているか否かをプラテンロックレバー４１の位置により検出するための第２の検出スイッチ１４２が設けられている。
【００２３】
本実施の形態においては、第１の検出スイッチ１３２及び第２の検出スイッチ１４２は、例えばメカニカルスイッチであって、押されるとオフとなり、押される力がなくなるとオンになる検出スイッチ、即ち、ノーマルクローズタイプのディテクトスイッチが用いられている。具体的には、不図示の蓋部が閉じられることにより、プラテンロックレバー３１、４１により、プラテンローラ２０が所定の位置に保持される。この際、プラテンロックレバー３１、４１が動き、プラテンロックレバー３１、４１により、第１の検出スイッチ１３２及び第２の検出スイッチ１４２が押されてオフになる。また、不図示の蓋部を開くことによりプラテンローラ２０がプラテンガイド３０、４０より外れると、プラテンロックレバー３１、４１は元の位置に戻る。これにより、第１の検出スイッチ１３２及び第２の検出スイッチ１４２を押している力がなくなるため、解放されオンになる。
【００２４】
このような第１の検出スイッチ１３２及び第２の検出スイッチ１４２を用いて、プラテンローラ２０が設置されているか否かを検出する場合には、図５に示すように、第１の検出スイッチ１３２と第２の検出スイッチ１４２とが並列に接続されている回路が用いられる。具体的には、第１の検出スイッチ１３２の一方の端子（図５図示下側端子）と第２の検出スイッチ１４２の一方の端子とは接続されており、更に接地されている。また、第１の検出スイッチ１３２の他方の端子（図５図示上側端子）と第２の検出スイッチ１４２の他方の端子とは接続されており、更に、抵抗６０が接続されており、抵抗６０を介して電源電位Ｖｃｃが検出スイッチ１３２の他方の端子と第２の検出スイッチ１４２の他方の端子とに印加されている。プラテンローラ２０の検出は、第１の検出スイッチ１３２の他方の端子と抵抗６０との間の電位を電位検出部１７１において検出することにより行なう。
【００２５】
蓋部が閉じプラテンローラ２０が所定の位置に設置されている場合には、第１の検出スイッチ１３２と第２の検出スイッチ１４２はともにオフになるため、図６に示されるように、検出される電位はＨであるＶｃｃとなる。また、蓋部が開いてプラテンローラ２０が所定の位置より外れた場合には、第１の検出スイッチ１３２と第２の検出スイッチ１４２はともにオンになるため、図６に示されるように、検出される電位はＬである０Ｖとなる。
【００２６】
本実施の形態におけるプリンタ装置においては、上述したように、第１の検出スイッチ１３２の他方の端子及び第２の検出スイッチ１４２の他方の端子と抵抗６０との接続部分には、電位検出部１７１が接続されている。この電位検出部１７１は、第１の検出スイッチ１３２の他方の端子及び第２の検出スイッチ１４２の他方の端子と抵抗６０との接続部分における電位を検出するためのものである。電位検出部１７１は、例えば、Ａ／Ｄコンバータ等により形成されており、検出された電位をアナログ信号として検出した後、デジタル信号に変換する。電位検出部１７１には、プラテンローラ２０が所定の位置に設置されているか否かの判断及び制御を行なうための制御部１７２が接続されており、制御部１７２における判断に基づき、表示部１７３においてプラテンの設置状態などを示す表示がなされる。表示部１７３は、液晶ディスプレであってもよく、ＬＥＤ（Light Emitting Diode）等の発光素子であってもよい。
【００２７】
本実施の形態においては、プラテンローラ２０が所定の位置に設置されており、プリンタ装置を使用している場合には、第１の検出スイッチ１３２と第２の検出スイッチ１４２がオフとなり電流が流れることがない。従って、プラテンローラが設置されている状態で第１の検出スイッチ１３２または第２の検出スイッチ１４２に電流が流れ続けることによる経年劣化により、検出スイッチが故障することを防ぐことができる。
【００２８】
また、プリンタ装置を使用している状態においては、第１の検出スイッチ１３２及び第２の検出スイッチ１４２に電流が流れることはなく、蓋部を開きプラテンローラ２０が所定の位置より外れた場合のみ電流が流れるため、電力消費を低くすることができる。よって、プリンタ装置を電池駆動している場合には、プリンタ装置の使用することのできる時間を長くすることができる。
【００２９】
尚、第１の検出スイッチ１３２及び第２の検出スイッチ１４２のうちの一方がオンで、他方がオフの場合には、検出される電位はＬとなる。この場合、蓋部が閉じているにもかかわらず、例えば、プラテンローラ２０の一方の端部は所定の位置に設置されているが、他方の端部は所定の位置に設置されていない場合や、第１の検出スイッチ１３２または第２の検出スイッチ１４２のうちのいずれかが断線故障していることが考えられる。図５に示される回路では、これらの場合においても、プラテンローラ２０が所定の位置に設置されていないものとして検出する。従って、プラテンローラ２０が所定の位置に設置されていないか、第１の検出スイッチ１３２または第２の検出スイッチ１４２のうちのいずれかが断線故障しているか、を区別することはできない。
【００３０】
〔第２の実施の形態〕
次に、第２の実施の形態について説明する。本実施の形態は、第１の実施の形態と同様の構造の図４に示されるプリンタ装置が用いられている。
【００３１】
本実施の形態において、第１の検出スイッチ１３２及び第２の検出スイッチ１４２を用いて、プラテンローラ２０が設置されているか否かを検出する場合には、図７に示されるように第１の検出スイッチ１３２及び第２の検出スイッチ１４２の接地側に抵抗を接続する。
【００３２】
具体的には、本実施の形態におけるプリンタ装置においては、第１の検出スイッチ１３２の一方の端子には第３の抵抗Ｒ２１が接続されており、第３の抵抗Ｒ２１を介して接地されている。第１の検出スイッチ１３２の他方の端子には第１の抵抗Ｒ１１が接続されており、第１の抵抗Ｒ１１を介して電源電位Ｖｃｃが印加されている。また、第２の検出スイッチ１４２の一方の端子には第４の抵抗Ｒ２２が接続されており、第４の抵抗Ｒ２２を介して接地されている。第２の検出スイッチ１４２の他方の端子には第２の抵抗Ｒ１２が接続されており、第２の抵抗Ｒ１２を介して電源電位Ｖｃｃが印加されている。また、第１の検出スイッチ１３２の一方の端子と第３の抵抗Ｒ２１との接続部分と第２の検出スイッチ１４２の一方の端子と第４の抵抗Ｒ２２との接続部分とは接続されており、更に、これらの接続部分は、電位検出部１７１に接続されている。
【００３３】
次に、制御部１７２において行なわれる判断について図８に基づき説明する。蓋部が閉じプラテンローラ２０が所定の位置に設置されている場合には、第１の検出スイッチ１３２と第２の検出スイッチ１４２はともにオフになり、検出される電位は０Ｖである。
【００３４】
また、蓋部が開いてプラテンローラ２０が所定の位置より外れた場合には、第１の検出スイッチ１３２と第２の検出スイッチ１４２はともにオンになるため、検出される電位はＶ１となる。尚、電位Ｖ１は、第１の抵抗Ｒ１１と第２の抵抗Ｒ１２の合成抵抗と、第３の抵抗Ｒ２１と第４の抵抗Ｒ２２の合成抵抗との分圧であり、下記の数１に示す式より算出することができる。
【００３５】
また、第１の検出スイッチ１３２が断線故障している場合には、プラテンローラ２０が所定の位置に設置されていない場合において、電位Ｖ２が検出される。尚、電位Ｖ２は、第２の抵抗Ｒ１２と、第３の抵抗Ｒ２１と第４の抵抗Ｒ２２の合成抵抗との分圧であり、下記の数２に示す式より算出することができる。
【００３６】
また、第２の検出スイッチ１４２が断線故障している場合には、プラテンローラ２０が所定の位置に設置されていない場合において、電位Ｖ３が検出される。尚、電位Ｖ３は、第１の抵抗Ｒ１１と、第３の抵抗Ｒ２１と第４の抵抗Ｒ２２の合成抵抗との分圧であり、下記の数３に示す式より算出することができる。
【００３７】
【数１】
2015123653.tif 000003
【００３８】
【数２】
2015123653.tif 000004
【００３９】
【数３】
2015123653.tif 000005
【００４０】
ここで、第１の抵抗Ｒ１１と第２の抵抗Ｒ１２との抵抗値が等しい場合には、電位Ｖ２と電位Ｖ３の値が等しくなるため、０Ｖ＜Ｖ２（Ｖ３）＜Ｖ１となる。よって、この場合には、０Ｖと電位Ｖ２（電位Ｖ３）との間となる電位において第１のしきい値Ｖｔ１を設定し、電位Ｖ２（電位Ｖ３）と電位Ｖ１の間となる電位において第２のしきい値Ｖｔ２を設定する。これにより、電位検出部１７１において検出された電位が、第１のしきい値Ｖｔ１よりも低い場合には、プラテンローラ２０が所定の位置に設置されているものと判断することができ、第２のしきい値Ｖｔ２よりも高い場合には、プラテンローラ２０が所定の位置に設置されていないものと判断することができる。また、電位検出部１７１において検出された電位が、第１のしきい値Ｖｔ１以上、第２のしきい値Ｖｔ２以下である場合には、第１の検出スイッチ１３２または第２の検出スイッチ１４２のいずれかが断線故障しているものと判断することができる。尚、これらの判断は制御部１７２において行なわれ、判断された結果は表示部１７３において表示される。
【００４１】
従って、本実施の形態においては、プラテンローラ２０が所定の位置に設置されているか否かを検出することができるのみならず、第１の検出スイッチ１３２、第２の検出スイッチ１４２のいずれかが断線故障しているか否かを検出することができる。
【００４２】
更に、第１の抵抗Ｒ１１と第２の抵抗Ｒ１２との抵抗値をＲ１１＞Ｒ１２とすることにより０Ｖ＜Ｖ３＜Ｖ２＜Ｖ１となる。この場合、電位Ｖ２と電位Ｖ３との間となる電位において第３のしきい値Ｖｔ３を設定する。これにより、電位検出部１７１において検出された電位が、第１のしきい値Ｖｔ１以上、第３のしきい値Ｖｔ３未満である場合には、第２の検出スイッチ１４２が断線故障しているものと判断することができ、第３のしきい値Ｖｔ３以上、第２のしきい値Ｖｔ２以下である場合には、第１の検出スイッチ１３２が断線故障しているものと判断することができる。この場合には、更に、故障している検出スイッチを特定することができる。
【００４３】
ここで、故障モードには、断線の他に検出スイッチが短絡してしまう短絡モードがある。短絡モードも、断線の場合と同様に分圧レベルを検出することで判別が可能となる。更に、ヘッドアップの状態など他の検出信号と組み合わせて判断することにより、より詳細な状態判定が可能となる。
【００４４】
尚、本実施の形態においては、第１の検出スイッチ１３２及び第２の検出スイッチ１４２がメカニカルスイッチの場合について説明したが、プラテンローラ２０が所定の位置に設置されるとオフとなり、プラテンローラ２０が所定の位置より外れるとオンとなる動作をする光学センサ等であってもよい。
【００４５】
また、本実施の形態においては、第３の抵抗Ｒ２１と第４の抵抗Ｒ２２は、１つの合成抵抗により形成してもよく、この場合には１つとなった第３の抵抗Ｒ２１と第４の抵抗Ｒ２２との合成抵抗を接地側抵抗とみなす。
【００４６】
（実施例）
次に、実施例として、具体的な値に基づき説明する。図９に示されるように、第１の抵抗Ｒ１１の値を０．７５ｋΩ、第２の抵抗Ｒ１２の値を１．２ｋΩ、第３の抵抗Ｒ２１の値を０．４７ｋΩ、第４の抵抗Ｒ２２の値を１．２ｋΩとし、電源電位Ｖｃｃが２．８Ｖの場合について考える。この場合、数１から数３に示す式より、図１０に示されるように、電位Ｖ１は約１．９Ｖ、電位Ｖ２は約１．６Ｖ、電位Ｖ３は約１．２Ｖとなる。
【００４７】
従って、０Ｖと電位Ｖ３となる約１．２Ｖとの間の電位、例えば、０．５Ｖを第１のしきい値Ｖｔ１として設定し、電位Ｖ２となる約１．６Ｖと電位Ｖ１となる約１．９Ｖとの間の電位、例えば、１．８Ｖを第２のしきい値Ｖｔ２として設定し、電位Ｖ３となる約１．２Ｖと電位Ｖ２となる約１．６Ｖとの間の電位、例えば、１．４Ｖを第３のしきい値Ｖｔ３として設定する。
【００４８】
これにより、電位検出部１７１において検出された電位が、第１のしきい値Ｖｔ１である０．５Ｖよりも低い場合には、プラテンローラ２０が所定の位置に設置されているものと判断することができる。また、電位検出部１７１において検出された電位が、第２のしきい値Ｖｔ２である１．８Ｖよりも高い場合には、プラテンローラ２０が所定の位置に設置されていないものと判断することができる。
【００４９】
また、電位検出部１７１において検出された電位が、第１のしきい値Ｖｔ１である０．５Ｖ以上、第３のしきい値Ｖｔ３である１．４Ｖ未満である場合には、第２の検出スイッチ１４２が断線故障しているものと判断することができる。また、電位検出部１７１において検出された電位が、第３のしきい値Ｖｔ３である１．４Ｖ以上、第２のしきい値Ｖｔ２である１．８Ｖ以下である場合には、第１の検出スイッチ１３２が断線故障しているものと判断することができる。
【００５０】
また、図９および図１０の関係を用いて、第１の検出スイッチ１３２あるいは第２の検出スイッチ１４２が短絡故障を起こしているか否かを判断することも可能である。断線故障と短絡故障との切り分けは、ヘッドオープンセンサなどの状態検出結果と組み合わせることで判断ができる。
【００５１】
以上、本発明の実施に係る形態について説明したが、上記内容は、発明の内容を限定するものではない。
【符号の説明】
【００５２】
１０        サーマルヘッド
２０        プラテンローラ
３０        プラテンガイド
３１        プラテンロックレバー
３２        第１の検出スイッチ
４０        プラテンガイド
４１        プラテンロックレバー
４２        第２の検出スイッチ
５１        モータ
５２        ギアボックス
６０        抵抗
１３２      第１の検出スイッチ
１４２      第２の検出スイッチ
１７１      電位検出部
１７２      制御部
１７３      表示部
Ｒ１１      第１の抵抗
Ｒ１２      第２の抵抗
Ｒ２１      第３の抵抗
Ｒ２２      第４の抵抗
【図１】
2015123653.tif 000006
【図２】
2015123653.tif 000007
【図３】
2015123653.tif 000008
【図４】
2015123653.tif 000009
【図５】
2015123653.tif 000010
【図６】
2015123653.tif 000011
【図７】
2015123653.tif 000012
【図８】
2015123653.tif 000013
【図９】
2015123653.tif 000014
【図１０】
2015123653.tif 000015